【手続補正書】
【提出日】平成22年11月19日(2010.11.19)
【手続補正１】
【補正対象書類名】特許請求の範囲
【補正対象項目名】全文
【補正方法】変更
【補正の内容】
【特許請求の範囲】
【請求項１】
送信局において複数のチャネルの信号系列を所定のブロック単位に時間多重して受信局へ送信する無線通信システムにおける信号多重方法であって、
前記送信局は、
時間領域において、時間多重信号のブロック境界と第１のチャネルの信号系列との間に、前記の第１のチャネルの信号系列よりも誤り耐性の高い第２のチャネルの信号系列の少なくとも一部が介在するように、前記時間多重を行なう、
ことを特徴とする、無線通信システムにおける信号多重方法。
【請求項２】
前記の各チャネルの信号系列は、個々の信号の誤り耐性が高いものから順に、前記ブロック境界から離れる方向に位置するよう前記時間多重される、ことを特徴とする、請求項１記載の無線通信システムにおける信号多重方法。
【請求項３】
送信局において複数のチャネルの信号系列を時間多重して受信局へ送信する無線通信システムにおける信号多重方法であって、
前記送信局は、
時間領域において、時間多重信号の送信電力が変化するタイミングと第１のチャネルの信号系列の送信タイミングとの間に、前記の第１のチャネルの信号系列よりも誤り耐性の高い第２のチャネルの信号系列の少なくとも一部が介在するように、前記時間多重を行なう、
ことを特徴とする、無線通信システムにおける信号多重方法。
【請求項４】
受信局宛の複数のチャネルの信号系列を所定のブロック単位に時間多重する時間多重処理部と、
時間領域において、時間多重信号のブロック境界と第１のチャネルの信号系列との間に、前記の第１のチャネルの信号系列よりも誤り耐性の高い第２のチャネルの信号系列の少なくとも一部が介在するように、前記時間多重処理部を制御する制御部と、
をそなえたことを特徴とする、送信局。
【請求項５】
前記の誤り耐性の高い第２のチャネルの信号系列は、前記の第１のチャネルの信号系列よりも符号長の長い信号系列である、ことを特徴とする、請求項４記載の送信局。
【請求項６】
前記の第１のチャネルの信号系列は、制御チャネルの信号系列であり、前記の第２のチャネルの信号系列は、データチャネルの信号系列である、ことを特徴とする、請求項４又は５に記載の送信局。
【請求項７】
前記制御部は、
前記ブロック境界と前記の第１のチャネルの信号系列との間に介在する前記の第２のチャネルの信号系列の量を、前記無線通信システムで利用可能な周波数帯域であるシステム帯域、前記受信局から割り当てられた割当周波数帯域幅、前記受信局から割り当てられた割当周波数帯域のいずれか１又は２以上の組み合わせに応じて、決定する、ことを特徴とする、請求項４〜６のいずれか１項に記載の送信局。
【請求項８】
前記制御部は、
前記ブロック境界と前記の第１のチャネルの信号系列との間に介在する前記の第２のチャネルの信号系列の量を、前記ブロック境界が前記受信局にて伝搬路推定に用いられるリファレンス信号が多重されるブロックとの境界であるか否かに応じて、決定する、ことを特徴とする、請求項４〜７のいずれか１項に記載の送信局。
【請求項９】
前記制御部は、
前記の各チャネルの信号系列が、個々の信号の誤り耐性が高いものから順に、前記ブロック境界から離れる方向に位置するよう前記時間多重を制御する、ことを特徴とする、請求項４記載の送信局。
【請求項１０】
受信局宛の複数のチャネルの信号系列を時間多重する時間多重処理部と、
時間領域において、時間多重信号の送信電力が変化するタイミングと第１のチャネルの信号系列の送信タイミングとの間に、前記の第１のチャネルの信号系列よりも誤り耐性の高い第２のチャネルの信号系列の少なくとも一部が介在するように、前記時間多重処理部を制御する制御部と、
をそなえたことを特徴とする、送信局。
【請求項１１】
第１のチャネル及び第２のチャネルを含む複数のチャネルの信号系列を時間多重する時間多重処理部と、
時間領域において、時間多重信号の送信電力が変化するタイミングと前記第１のチャネルの信号系列の送信タイミングとの間に、前記の第１のチャネルの信号系列よりも符号長の長い前記第２のチャネルの信号系列の少なくとも一部が介在するように、前記時間多重処理部を制御する制御部と、
をそなえたことを特徴とする、送信局。
【請求項１２】
前記の第１のチャネルの信号系列は制御チャネルの信号系列であり、前記の第２のチャネルの信号系列はデータチャネルの信号系列である、ことを特徴とする、請求項１１記載の送信局。
【請求項１３】
前記制御部は、時間領域において、前記時間多重信号の送信電力が変化するタイミングと該タイミングよりも後の前記の第１のチャネルの信号系列の送信タイミングとの間に、前記の第２のチャネルの信号系列の少なくとも一部が介在するように前記時間多重処理部を制御する、ことを特徴とする、請求項１１記載の送信局。
【請求項１４】
第１のチャネル及び第２のチャネルを含む複数のチャネルの信号系列を時間多重する時間多重処理部と、
時間領域において、時間多重信号の送信電力が変化するタイミングと前記第１のチャネルの信号系列の送信タイミングとの間に、前記の第１のチャネルの信号系列よりも符号長の長い前記第２のチャネルの信号系列の少なくとも一部が介在し、前記第１のチャネルの第１の信号系列と前記の第２のチャネルの信号系列の少なくとも一部との間に、前記の第１のチャネルの第１の信号系列よりも符号長が長く前記の第２のチャネルの信号系列よりも符号長の短い前記第１のチャネルの第２の信号系列が介在するように、前記時間多重処理部を制御する制御部と、
をそなえたことを特徴とする、送信局。
【請求項１５】
前記の第１のチャネルの第１の信号系列はＡＣＫ信号又はＮＡＣＫ信号であり、前記の第１のチャネルの第２の信号系列はＣＱＩ信号であり、前記の第２のチャネルの信号系列はデータ信号である、ことを特徴とする、請求項１４記載の送信局。
【請求項１６】
前記制御部は、時間領域において、前記時間多重信号の送信電力が変化するタイミングと該タイミングよりも後の前記の第１のチャネルの第１の信号系列の送信タイミングとの間に、前記の第２のチャネルの信号系列の少なくとも一部が介在するように前記時間多重処理部を制御する、ことを特徴とする、請求項１４記載の送信局。
【請求項１７】
時間領域において、時間多重信号の送信電力が変化するタイミングと第１のチャネルの信号系列の送信タイミングとの間に、前記の第１のチャネルの信号系列よりも符号長の長い第２のチャネルの信号系列の少なくとも一部が介在するように、前記第１のチャネル及び前記第２のチャネルを含む複数のチャネルの信号系列が時間多重された信号を受信する受信部と、
受信した前記信号から前記の第１のチャネルの信号系列と前記の第２のチャネルの信号系列とを分離する分離部と、
前記の第１のチャネルの信号系列を復調する復調部と、
復調された前記の第１のチャネルの信号系列を誤り訂正複号する複号部と、
をそなえたことを特徴とする、受信局。
【請求項１８】
時間領域において、時間多重信号の送信電力が変化するタイミングと第１のチャネルの第１の信号系列の送信タイミングとの間に、前記の第１のチャネルの第１の信号系列よりも符号長の長い第２のチャネルの信号系列の少なくとも一部が介在し、前記の第１のチャネルの第１の信号系列と前記の第２のチャネルの信号系列の少なくとも一部との間に、前記の第１のチャネルの第１の信号系列よりも符号長が長く前記の第２のチャネルの信号系列よりも符号長の短い前記第１のチャネルの第２の信号系列が介在するように、前記第１のチャネル及び前記第２のチャネルを含む複数のチャネルの信号系列が時間多重された信号を受信する受信部と、
受信した前記信号から前記の第１のチャネルの第１の信号系列及び第２の信号系列と前記の第２のチャネルの信号系列とを分離する分離部と、
前記の第１のチャネルの第１の信号系列及び第２の信号系列を復調する復調部と、
復調された前記の第１のチャネルの第１の信号系列及び第２の信号系列を誤り訂正複号する複号部と、
をそなえたことを特徴とする、受信局。
【手続補正２】
【補正対象書類名】明細書
【補正対象項目名】発明の名称
【補正方法】変更
【補正の内容】
【発明の名称】無線通信システムにおける信号多重方法、送信局及び受信局
【手続補正３】
【補正対象書類名】明細書
【補正対象項目名】０００１
【補正方法】変更
【補正の内容】
【０００１】
本発明は、無線通信システムにおける信号多重方法、送信局及び受信局に関する。本発明は、例えば、送信局の一例としての移動局から受信局の一例としての無線基地局へ信号を時間多重して送信するシステムに用いると好適である。
【手続補正４】
【補正対象書類名】明細書
【補正対象項目名】００１７
【補正方法】変更
【補正の内容】
【００１７】
前記目的を達成するために、本明細書では、以下の「無線通信システムにおける信号多重方法、送信局及び受信局」を開示する。
【手続補正５】
【補正対象書類名】明細書
【補正対象項目名】００１８
【補正方法】変更
【補正の内容】
【００１８】
（１）即ち、ここに開示する信号多重方法は、送信局において複数のチャネルの信号系列を所定のブロック単位に時間多重して受信局へ送信する無線通信システムにおける信号多重方法であって、前記送信局は、時間領域において、時間多重信号のブロック境界と第１のチャネルの信号系列との間に、前記の第１のチャネルの信号よりも誤り耐性の高い第２のチャネルの信号系列の少なくとも一部が介在するように、前記時間多重を行なう。
【手続補正６】
【補正対象書類名】明細書
【補正対象項目名】００１９
【補正方法】変更
【補正の内容】
【００１９】
（２）ここで、前記の各チャネルの信号系列は、個々の信号の誤り耐性が高いものから順に、前記ブロック境界から離れる方向に位置するよう前記時間多重される、こととしてもよい。
【手続補正７】
【補正対象書類名】明細書
【補正対象項目名】００２０
【補正方法】変更
【補正の内容】
【００２０】
（３）さらに、ここに開示する信号多重方法の別の態様は、送信局において複数のチャネルの信号系列を時間多重して受信局へ送信する無線通信システムにおける信号多重方法であって、前記送信局は、時間領域において、時間多重信号の送信電力が変化するタイミングと第１のチャネルの信号系列の送信タイミングとの間に、前記の第１のチャネルの信号系列よりも誤り耐性の高い第２のチャネルの信号系列の少なくとも一部が介在するように、前記時間多重を行なう。
【手続補正８】
【補正対象書類名】明細書
【補正対象項目名】００２１
【補正方法】変更
【補正の内容】
【００２１】
（４）また、ここに開示する送信局は、受信局宛の複数のチャネルの信号系列を所定のブロック単位に時間多重する時間多重処理部と、時間領域において、時間多重信号のブロック境界と第１のチャネルの信号系列との間に、前記の第１のチャネルの信号系列よりも誤り耐性の高い第２のチャネルの信号系列の少なくとも一部が介在するように、前記時間多重処理部を制御する制御部と、をそなえる。
【手続補正９】
【補正対象書類名】明細書
【補正対象項目名】００２２
【補正方法】変更
【補正の内容】
【００２２】
（５）ここで、前記の誤り耐性の高い第２のチャネルの信号系列は、前記の第１のチャネルの信号系列よりも符号長の長い信号系列である、こととしてもよい。
【手続補正１０】
【補正対象書類名】明細書
【補正対象項目名】００２３
【補正方法】変更
【補正の内容】
【００２３】
（６）また、前記の第１のチャネルの信号系列は、制御チャネルの信号系列であり、前記の第２のチャネルの信号系列は、データチャネルの信号系列である、こととしてもよい。
【手続補正１１】
【補正対象書類名】明細書
【補正対象項目名】００２４
【補正方法】変更
【補正の内容】
【００２４】
（７）さらに、前記制御部は、前記ブロック境界と前記の第１のチャネルの信号系列との間に介在する前記の第２のチャネルの信号系列の量を、前記無線通信システムで利用可能な周波数帯域であるシステム帯域、前記受信局から割り当てられた割当周波数帯域幅、前記受信局から割り当てられた割当周波数帯域のいずれか１又は２以上の組み合わせに応じて、決定する、こととしてもよい。
【手続補正１２】
【補正対象書類名】明細書
【補正対象項目名】００２５
【補正方法】変更
【補正の内容】
【００２５】
（８）また、前記制御部は、前記ブロック境界と前記の第１のチャネルの信号系列との間に介在する前記の第２のチャネルの信号系列の量を、前記ブロック境界が前記受信局にて伝搬路推定に用いられるリファレンス信号が多重されるブロックとの境界であるか否かに応じて、決定する、こととしてもよい。
【手続補正１３】
【補正対象書類名】明細書
【補正対象項目名】００２６
【補正方法】変更
【補正の内容】
【００２６】
（９）さらに、前記制御部は、前記の各チャネルの信号系列が、個々の信号の誤り耐性が高いものから順に、前記ブロック境界から離れる方向に位置するよう前記時間多重を制御する、こととしてもよい。
【手続補正１４】
【補正対象書類名】明細書
【補正対象項目名】００２７
【補正方法】変更
【補正の内容】
【００２７】
（１０）さらに、ここに開示する送信局の別の態様は、受信局宛の複数のチャネルの信号系列を時間多重する時間多重処理部と、時間領域において、時間多重信号の送信電力が変化するタイミングと第１のチャネルの信号系列の送信タイミングとの間に、前記の第１のチャネルの信号系列よりも誤り耐性の高い第２のチャネルの信号系列の少なくとも一部が介在するように、前記時間多重処理部を制御する制御部と、をそなえる。
（１１）また、ここに開示する送信局の別の態様は、第１のチャネル及び第２のチャネルを含む複数のチャネルの信号系列を時間多重する時間多重処理部と、時間領域において、時間多重信号の送信電力が変化するタイミングと前記第１のチャネルの信号系列の送信タイミングとの間に、前記の第１のチャネルの信号系列よりも符号長の長い前記第２のチャネルの信号系列の少なくとも一部が介在するように、前記時間多重処理部を制御する制御部と、をそなえる。
（１２）ここで、前記の第１のチャネルの信号系列は制御チャネルの信号系列であり、前記の第２のチャネルの信号系列はデータチャネルの信号系列である、こととしてもよい。
（１３）また、前記制御部は、時間領域において、前記時間多重信号の送信電力が変化するタイミングと該タイミングよりも後の前記の第１のチャネルの信号系列の送信タイミングとの間に、前記の第２のチャネルの信号系列の少なくとも一部が介在するように前記時間多重処理部を制御する、こととしてもよい。
（１４）さらに、ここに開示する送信局の別の態様は、第１のチャネル及び第２のチャネルを含む複数のチャネルの信号系列を時間多重する時間多重処理部と、時間領域において、時間多重信号の送信電力が変化するタイミングと前記第１のチャネルの信号系列の送信タイミングとの間に、前記の第１のチャネルの信号系列よりも符号長の長い前記第２のチャネルの信号系列の少なくとも一部が介在し、前記第１のチャネルの第１の信号系列と前記の第２のチャネルの信号系列の少なくとも一部との間に、前記の第１のチャネルの第１の信号系列よりも符号長が長く前記の第２のチャネルの信号系列よりも符号長の短い前記第１のチャネルの第２の信号系列が介在するように、前記時間多重処理部を制御する制御部と、をそなえる。
（１５）ここで、前記の第１のチャネルの第１の信号系列はＡＣＫ信号又はＮＡＣＫ信号であり、前記の第１のチャネルの第２の信号系列はＣＱＩ信号であり、前記の第２のチャネルの信号系列はデータ信号である、こととしてもよい。
（１６）また、前記制御部は、時間領域において、前記時間多重信号の送信電力が変化するタイミングと該タイミングよりも後の前記の第１のチャネルの第１の信号系列の送信タイミングとの間に、前記の第２のチャネルの信号系列の少なくとも一部が介在するように前記時間多重処理部を制御する、こととしてもよい。
（１７）さらに、ここに開示する受信局は、時間領域において、時間多重信号の送信電力が変化するタイミングと第１のチャネルの信号系列の送信タイミングとの間に、前記の第１のチャネルの信号系列よりも符号長の長い第２のチャネルの信号系列の少なくとも一部が介在するように、前記第１のチャネル及び前記第２のチャネルを含む複数のチャネルの信号系列が時間多重された信号を受信する受信部と、受信した前記信号から前記の第１のチャネルの信号系列と前記の第２のチャネルの信号系列とを分離する分離部と、前記の第１のチャネルの信号系列を復調する復調部と、復調された前記の第１のチャネルの信号系列を誤り訂正複号する複号部と、をそなえる。
（１８）また、ここに開示する受信局の別の態様は、時間領域において、時間多重信号の送信電力が変化するタイミングと第１のチャネルの第１の信号系列の送信タイミングとの間に、前記の第１のチャネルの第１の信号系列よりも符号長の長い第２のチャネルの信号系列の少なくとも一部が介在し、前記の第１のチャネルの第１の信号系列と前記の第２のチャネルの信号系列の少なくとも一部との間に、前記の第１のチャネルの第１の信号系列よりも符号長が長く前記の第２のチャネルの信号系列よりも符号長の短い前記第１のチャネルの第２の信号系列が介在するように、前記第１のチャネル及び前記第２のチャネルを含む複数のチャネルの信号系列が時間多重された信号を受信する受信部と、受信した前記信号から前記の第１のチャネルの第１の信号系列及び第２の信号系列と前記の第２のチャネルの信号系列とを分離する分離部と、前記の第１のチャネルの第１の信号系列及び第２の信号系列を復調する復調部と、復調された前記の第１のチャネルの第１の信号系列及び第２の信号系列を誤り訂正複号する複号部と、をそなえる。